(57)【要約】【課題】合成樹脂製グローブの劣化を防止することが可能な電球形蛍光ランプ、およびこの電球形蛍光ランプを用いた照明器具を提供する。【解決手段】一端に口金１を備えたカバー２と；一対の電極４ｑ、４ｒを有すると共に内壁面４ｌと蛍光体層４ｍとの間に紫外線吸収膜４ｎを設けたバルブ４ｄからなる発光管４と；紫外線吸収剤が添加された透光性の合成樹脂で構成されたグローブ６と；カバー内に収容される点灯装置５と；を具備する電球形蛍光ランプを構成する。【選択図】        図１
2009259766.tif 000002
【特許請求の範囲】
【請求項１】
一端に口金を備えたカバーと；
一対の電極を有すると共に内壁面と蛍光体層との間に紫外線吸収膜を設けたバルブからなる発光管と；
紫外線吸収剤が添加された透光性の合成樹脂で構成されたグローブと；
カバー内に収容される点灯装置と；
を具備していることを特徴とする電球形蛍光ランプ。
【請求項２】
基端側に形成された開口端部がカバーに取り付けられ、頂端部側に最大径部を基端側に最大径部より縮径した縮径部をそれぞれ有し、分割接合されたグローブと；
グローブの縮径部内径よりも径大な部分を有するように形成された発光管と；
を具備していることを特徴とする請求項１に記載の電球形蛍光ランプ。
【請求項３】
ソケットが設けられた器具本体と；
この器具本体のソケットに装着された請求項１または２に記載の電球形蛍光ランプと；
を具備していることを特徴とする照明器具。
【発明の詳細な説明】
【技術分野】
【０００１】
本発明は、合成樹脂製のグローブを有する電球形蛍光ランプおよびこの電球形蛍光ランプを用いた照明器具に関する。
【背景技術】
【０００２】
白熱電球などの一般照明用電球のソケットに装着可能な口金にカバーが設けられ、このカバー内のホルダにガラス管バルブを曲成して形成した蛍光ランプおよび点灯装置が取付けられると共に、この蛍光ランプを紫外線吸収可能な合成樹脂製のグローブで覆った電球形蛍光ランプが知られている（例えば、特許文献１）。
【０００３】
近年では、図９に示すように、さらなる小型、高出力化を図るために、グローブ３０内の狭い空間内に配置される発光管４０を、グローブの最大径部３０ａにてグローブの縮径部３０ｂの内径よりも径大な部分を有する螺旋形部４０ａを形成するように屈曲形成し、放電路長の増大を図ったものが提案されている。この電球形蛍光ランプは、グローブ３０における縮径部３０ｂの開口径より螺旋形部４０ａの最大径部４０ｂの外径が大きいので発光管４０をグローブ３０内に挿入することができない。このため、グローブ３０を成形の容易な合成樹脂で構成し、縮径部３０ｂ側と頂端部３０ｃ側に分割し、分割された縮径部側に直線状の放電路３０ｄ、３０ｄを挿入し、頂端部３０ｃ側を被せて分割した接合部５０を接着等により接合している。
【特許文献１】特開２００５−１７４６３７号公報
【発明の開示】
【発明が解決しようとする課題】
【０００４】
上記特許文献１に示される電球形蛍光ランプでは、グローブを紫外線吸収可能な合成樹脂で構成している。しかし、図９に示すようにさらなる小型化を図ることで樹脂グローブと発光管はより接近する。このため、紫外線吸収可能な樹脂からなるグローブを採用しても発光管から放射される紫外線を一層受けることにより劣化し、黄色未を帯びるように変色し時間の経過とともにグローブを透過する光の量が低下する問題が生じる。このため、この種の合成樹脂製グローブを有する電球形蛍光ランプにおいて、この問題を如何に改善するかが重要な課題となっている。
【０００５】
本発明は、上記課題に対処するためになされたもので、合成樹脂製グローブの劣化を防止することが可能な電球形蛍光ランプ、および、この電球形蛍光ランプを用いた照明器具を提供しようとするものである。
【課題を解決するための手段】
【０００６】
請求項１記載の電球形蛍光ランプの発明は、一端に口金を備えたカバーと；一対の電極を有すると共に内壁面と蛍光体層との間に紫外線吸収膜を設けたバルブからなる発光管と；紫外線吸収剤が添加された透光性の合成樹脂で構成されたグローブと；カバー内に収容される点灯装置と；を具備していることを特徴とする。
【０００７】
グローブは、ポリカーボネート、アクリル、ポリエチレンテレフタレート、ポリエチレン等の透光性の合成樹脂が許容され、要求される特性に応じ無色透明、着色または拡散などの手段が施されていてもよく、配光特性向上のためグローブなど、一部に反射膜などの反射手段が形成されていてもよい。
【０００８】
グローブの形状は、白熱電球など一般照明用電球のバルブと同じ外観形状を有するＡ形、Ｓ形、ＰＳ形などの通常涙滴形と呼ばれている形状やＧ形の球形をなすバルブと、同形ないし略同形をなす類似形状である。
【０００９】
発光管は、１本の直管状部材を螺旋状に屈曲して形成した螺旋形の発光管であっても、例えば３本のＵ字形の管体を並設して１本の放電路を形成した屈曲形の発光管であってもよく、その形式は特定のものに限定されない。
【００１０】
バルブの内壁面と蛍光体層との間の紫外線吸収膜は、例えば、酸化チタン（ＴｉＯ2）、酸化亜鉛（ＺｎＯ）、酸化セリウム（ＣｅＯ2）、酸化鉄（Ｆｅ2Ｏ3）等の微粒子を主体とした紫外線吸収膜が許容される。
【００１１】
また、グローブを構成する透光性の合成樹脂は、樹脂自体が紫外線を吸収することが可能な樹脂、例えば、炭酸エステル類からなる第１の単体Ｍと、紫外線吸収機能を有する第２単体Ｍ´とを含んでいる共重合体が好適であるが、ポリ炭酸エステル（ポリカーボネート）に紫外線吸収剤を添加した樹脂等であってもよい。さらには、紫外線吸収剤として樹脂にベンゾエート、シンナート、ベンゾトリアゾール、オキサニリド系化合物を含有させても構わない。
【００１２】
請求項２に記載の発明は、請求項１に記載の電球形蛍光ランプにおいて、基端側に形成された開口端部がカバーに取り付けられ、頂端部側に最大径部を基端側に最大径部より縮径した縮径部をそれぞれ有し、分割接合されたグローブと；グローブの縮径部内径よりも径大な部分を有するように形成された発光管と；を具備していることを特徴とする。
【００１３】
分割接合されたグローブは、グローブの縮径部側と頂端部側が分割されるように、グローブの最大径部でグローブの軸線に略直交方向に沿って分割されることが好ましいが、最大径部の近傍の縮径部側もしくは頂端部側で分割されていてもよく、軸線に直交せずに斜め方向に分割してもよい。さらには、グローブの軸線に沿って縦方向に分割されるようにしてもよく、要は、発光管の最大径部が挿入できるように縮径部を開放する全ての手段が許容される。
【００１４】
発光管は、グローブ内に沿って配設されるバルブの連続した仮想外形が、このグローブと略同形の涙滴形ないし球形をなすグローブ内面に沿って折り返されることでＵ字管を接続して組み合わせた従来のバルブよりも比較的長い放電路が得られ発光効率が向上する。例えば、外観形状を白熱電球のシルエットに近似させるために、バルブがグローブの最大径部にてグローブの縮径部内径よりも径大な部分を有するように形成された螺旋形部を少なくとも一部に有する略円錐台形の螺旋形に形成したものなどがあげられる。
【００１５】
一方、樹脂製グローブとバルブとの間隔が近接することで発光管からの紫外線の影響を受けやすいが、グローブおよびバルブそれぞれに耐紫外線処置が施されているのでグローブの劣化が抑制される。
【００１６】
請求項３に記載の照明器具の発明は、ソケットが設けられた器具本体と；この器具本体のソケットに装着された請求項１または２に記載の電球形蛍光ランプと；を具備していることを特徴とする。
【００１７】
本発明において、器具本体は天井直付形、天井吊下形または壁面取付形などであって、本体に制光体としてグローブ、セード、反射体などが取付けられるものであっても、蛍光ランプが露出するものであってもよい。また、照明器具は器具本体に１個の電球形蛍光ランプを取付けたものに限らず、複数個の蛍光ランプが配設されるものであってもよい。
【発明の効果】
【００１８】
請求項１記載の発明によれば、内壁面と蛍光体層との間に紫外線吸収膜を設けたバルブからなる発光管により紫外線の放射を低減すると共に、紫外線吸収剤が添加された合成樹脂で構成されたグローブにより、樹脂製グローブの劣化を一層防止することができる。さらに、昆虫が好む波長も低減されるので昆虫の飛来を抑制可能な電球形蛍光ランプを提供することができる。
【００１９】
請求項２記載の発明によれば、発光管は、バルブがグローブの縮径部内径よりも径大な部分を有するように形成されたことにより放電路長の増大を図ることができると共に、樹脂グローブとバルブが一層近接するが、紫外線吸収剤が添加された透光性の合成樹脂で構成されたグローブと、内壁面と蛍光体層との間に紫外線吸収膜を設けたバルブからなる発光管により、合成樹脂で構成されたグローブの劣化を、より一層防止することが可能である。さらに、昆虫が好む波長も低減されるので昆虫の飛来を抑制可能な電球形蛍光ランプを提供することができる。
【００２０】
請求項３記載の発明によれば、グローブの劣化を防止することが可能な電球形蛍光ランプを用いた照明器具を提供することができ、同時に器具の変色も防止することが可能となる。
【発明を実施するための最良の形態】
【００２１】
以下本発明に係る電球形蛍光ランプおよび電球形蛍光ランプを用いた照明器具の実施形態について図に従い説明する。
【実施例１】
【００２２】
本実施例は、例えば定格ランプ電力が１０Ｗで、白熱電球６０Ｗに相当する電球形蛍光ランプＬ１で、Ｅ型と呼ばれるねじ込み形の口金１、この口金に一端側を接着剤や、かしめなどの手段で固定されたカバー２、このカバー内に固定されたホルダ３、ホルダに支持された蛍光ランプを構成する発光管４、カバー２内に収容される点灯装置５、発光管４を覆うグローブ６などからなる。
【００２３】
なお、以下、発光管４を上側、口金１を下側にして説明する。発光管４は、上部に形成された螺旋形部４ａと、下部に形成された略直線形状をなす一対２本の直管部４ｂ、４ｃとを有し、これらを一体に連接して構成する。螺旋形部４ａは、管外径が６〜９ｍｍ、例えば、８．５ｍｍの直状円管状のガラスバルブ４ｄを、ほぼ等分の２つ折りに折曲し、その等分位置の折返し部４ｆを頂部として、図示しない金型に巻き付けて、異なる径の重ね合わせで、同心軸上に広がりをもった略円錐台形状の２重螺旋形にモールド成形する。
【００２４】
より詳細には、図３に示すように螺旋形部４ａは、ガラスバルブ４ｄの一方の端部４ｇから螺旋形部の旋回軸ｏ−ｏ（以下「ランプ軸ｏ−ｏ」と称する）回りに螺旋径を順次縮小し旋回しながら上方の頂部である折返し部４ｆに至る第１の旋回部Ａと、この折返し部４ｆの他端から旋回軸ｏ−ｏ回りに螺旋径を順次拡大し旋回しながら他方の端部４ｈに至る第２の旋回部Ｂとを有する２重螺旋形状を有するように、例えば、ほぼ２周旋回（ターン数）している。これにより、螺旋形部４ａは、外側の仮想形状が略円錐台形をなし、螺旋形部には、その下方に径大な螺旋径部からなる最大径部４ｉを有する形状に構成され、かつこれら螺旋形状により小型でありながら長い放電路を有して形成される。
【００２５】
この螺旋形部４ａは、発光管４がグローブ６内に収容された際に、グローブの最大径部６ｃを含む頂端部６ｇ側に、最大径部６ｃの内面に沿って位置して配置され、最大径部４ｉはグローブ６の縮径部６ｅの内径より径大な螺旋径部を構成している。さらに、２重螺旋形状の螺旋終端部から、ガラスバルブ４ｄの両端部４ｇ、４ｈを、ランプ軸ｏ−ｏに略平行に下方に向けて略直角に折曲げ、螺旋形部４ａより放電路が短い略直線形状をなす一対２本の直管部４ｂ、４ｃを形成し、ガラスバルブ４ｄの直管部４ｂ→螺旋形部４ａ→直管部４ｃに至る、より一層長い１本の連通した放電路が形成される。この一対の直管部４ｂ、４ｃは、発光管４がグローブ６内に収容された際に、グローブの縮径部６ｅ側に位置して配置されるように、一対の直管部の外側が描く仮想円形の直径Φ２（図３（ａ））が、螺旋形部４ａにおける最大径部４ｉの直径Φ１よりも小さくなるように形成する。
【００２６】
上記に構成されたガラスバルブ４ｄの両端部となる、直管部４ｂ、４ｃの両端部４ｇ、４ｈに一対の電極４ｑ、４ｒを、それぞれ封装して電極封止端部４ｓ、４ｔを形成する。一対の電極４ｑ、４ｒは、例えばタングステン製のフィラメントコイル電極が使用されており、例えばフレアステムにより仮止めされた状態でガラスバルブ４ｄ両端部の電極封止端部４ｓ、４ｔに封着される。
【００２７】
ガラスバルブ４ｄは、図１（ｂ）に示すように、その内壁面４ｌ、すなわち、ガラス内壁面４ｌと後述する蛍光体層４ｍとの間に略全長に亘って、例えば、酸化チタン（ＴｉＯ2）と酸化亜鉛（ＺｎＯ）の微粒子を主体とした紫外線吸収膜４ｎを形成し、紫外線吸収膜の上面に希土類金属酸化物等の蛍光体膜からなる蛍光体層４ｍをほぼ全長に亘って形成する。本実施例においては、酸化チタンの平均粒径が０．０３〜０．０５μｍ、酸化亜鉛の平均粒径が０．０１５〜０．０５μｍの微粒子により構成され、各々の混合割合を５０重量％としている。紫外線吸収膜４ｎの膜厚は、０．１μｍ〜２μｍ、好ましくは０．３μｍ〜０.５μｍとする。膜厚が０．１μｍより薄くなると紫外線吸収作用が低下し、２μｍを超えると光束が低下する。なお、紫外線吸収膜４ｎの膜厚は、ガラスバルブ４ｄの管体上方の内壁面、図３（ａ）中のＰ点における膜厚である（管体下方の内壁面は、膜厚が厚くなり易い）。
【００２８】
また、この紫外線吸収膜４ｎを形成した発光管４は、図４のグラフ中、曲線ａに示すように、合成樹脂の変色に最も影響する波長３６５ｎｍ以下のＨｇ輝線を低減することができ、かつ波長約４００ｎｍ以下の光が低減され、紫外領域から可視光の短波長領域にわたり紫外成分を吸収することができる。これにより、後述する合成樹脂製のグローブ６を、発光管４から放射される紫外線から守り、紫外線によるグローブ６の変色、退色、透過率の低下、脆化等の劣化を防止する。同時に紫外線を低減することができ、昆虫の飛来を抑制することができる。図４は、本実施例の発光管４をグローブなしの裸で点灯した状態における紫外線出力（μＷ／ｃｍ2／ｎｍ）を測定したもので、曲線ａが本実施例の発光管４の特性曲線、曲線ｂが紫外線吸収膜を形成しない通常品の特性曲線であり、本実施例の発光管４は、通常品に比し、波長３６５ｎｍ以下のＨｇ輝線が低減され、波長約４００ｎｍ以下の光が低減されて紫外領域から可視光の短波長領域にわたり紫外成分を良好に吸収し、紫外線の吸収作用が良好であることが示されている。
【００２９】
ガラスバルブ４ｄ内部には、アルゴンやクリプトン等の放電媒体が封入されており、一対の電極封止端部４ｓ、４ｔの下面には、その内部に連通する細管４ｕ、４ｖが突設され、細管内には水銀またはアマルガムが収容されている。また、螺旋形部４ａの頂部である折返し部４ｆは、そのガラスバルブ直径を第１、第２の旋回部Ａ、Ｂの直径よりも大径の膨出部に形成し、この膨出部から排気用の細管４ｗが突設されている。なお、この膨出部に最冷部を形成するようにしてもよい。また、細管４ｗ内に水銀またはアマルガムを収容するようにしてもよい。
【００３０】
上記により、径大な螺旋径部からなる最大径部４ｉを有する略円錐台形の螺旋形部４ａと、螺旋形部の下部、換言すれば、白熱電球の根元部に対応する位置に、一対の直管部４ｂ、４ｃを有し、外側全体の仮想外形が略キノコ形をなす発光管４が構成される。このように構成された発光管４の具体構成の一例は、次のとおりである（図２）。すなわち、電球形蛍光ランプＬ１の定格は１０Ｗで、発光管４は最大径部４ｉの直径寸法Φ１が約５０ｍｍ、高さ寸法ｈ１が約６４ｍｍ、最大径部４ｉの水平中心軸から一対の電極封止端部４ｓ、４ｔの下面までの高さ寸法ｈ２が約４０ｍｍである。一対の電極４ｑ、４ｒ間の放電路長は２００〜４００ｍｍであり、ガラスバルブ４ｄの管外径に応じて相違する。例えばガラスバルブの管外径が８ｍｍのとき、放電路長が３５０ｍｍ、管外径が９ｍｍのとき放電路長が３２０ｍｍである。
【００３１】
上記のように構成された略キノコ形をなす発光管４は、口金１に固定されたカバー２内のホルダ３に支持される。口金１は、エジソンタイプのＥ２６形などで、ねじ山を備えた筒状のシェル１ａ、このシェルの一端側の頂部に絶縁部１ｂを介して設けられたアイレット１ｃを備えている。シェル１ａは、銅板等の導電性の金属で構成され、その他端側をカバー２の一端部に被せてシリコーン樹脂やエポキシ樹脂等の耐熱性の接着剤またはかしめなどの手段により固定されている。
【００３２】
カバー２は、例えばポリブチレンテレフタレート（ＰＢＴ）などの耐熱性合成樹脂材料により開口部と円筒体部を一体に形成したカバー本体２ａを有し、カバー本体の下端側に口金１のシェル１ａが取り付けられ、カバー本体の上端側には、取付端部である環状の開口取付端部２ｂが形成されている。カバー２の開口取付端部２ｂは、下方に向けて漸次縮径する逆円錐台状部となして、後述するグローブ６の基端側の開口端部６ｄを嵌合するように構成する。この開口取付端部２ｂ内には、カバー本体２ａの開口部と円筒体部との連結部内側の環状凸状段部２ｃ上にて、ホルダ３の開口部の開口下端を載置してシリコーン樹脂やエポキシ樹脂等の耐熱性の接着剤により固着している。
【００３３】
すなわち、ホルダ３は、例えばポリブチレンテレフタレート（ＰＢＴ）などの耐熱性合成樹脂材料により有蓋円筒状に形成され、その蓋体をなす円板状の基板部３ａの下面周縁部に、下端側に突出する円筒状の円筒部３ｂを一体に形成し、この円筒部の開口下端を、カバー本体の環状凸状段部２ｃ上に載置して、シリコーン樹脂やエポキシ樹脂等の耐熱性の接着剤により固着している。ホルダ３は、基板部３ａ上に発光管４を載置させて支持する。すなわち、略キノコ形をなす発光管４の螺旋形部４ａの根元部に対応する位置に設けられた一対の直管部４ｂ、４ｃの下端部を載置させて支持する凹部と、これら発光管の下端部同士の間隙内に突出して、その径方向のずれを規制する筒状突部３ｃを突設している。さらに基板部３ａには、その筒状突部３ｃの外側に挿通孔をそれぞれ形成し、これら挿通孔には、発光管４の一対の電極封止端部４ｓ、４ｔからその外方に突出する細管４ｕ、４ｖと図３（ａ）に示すアウターワイヤ４ｘ、４ｙをそれぞれ挿通させ、シリコーン樹脂等の耐熱性の接着剤により固着させ、ホルダ３の基板部３ａ上に発光管４を固定して支持する。なお、これらカバー２とホルダ３は別体に構成したが、合成樹脂により一体に形成してもよい。
【００３４】
点灯装置５は、図１、２に示すように、発光管４を点灯制御するための点灯回路パターンを形成した回路基板５ａを、縦方向にして口金１内面の一対の縦溝２ｄ、２ｄ内に嵌入し固定している。すなわち、口金１内のカバー２内面に、その直径方向で対向する一対の縦溝２ｄ、２ｄを口金の軸方向に形成し、この縦溝内に回路基板５ａを縦方向にして幅方向両側縁部を嵌入させて固定している。回路基板５ａには、片面または両面に回路パターンが形成され、その実装面には、電解コンデンサ等のリード部品やトランジスタ等のチップ部品等、点灯回路を構成するための複数の電子部品５ｂ・・・が実装されている。
【００３５】
次に、グローブ６は、白熱電球など一般照明用電球などに用いられている横断面が円形のＰＳ形（Ｐｅａｒ Ｓｈａｐｅ ｔｙｐｅ）バルブの形状をなし、発光管４を覆うように、例えば、厚さが１〜２ｍｍ、本実施例では約１．５ｍｍの透光性の合成樹脂を用い、透明または光拡散性を有する乳白色、ここでは乳白色として、白熱電球など一般照明用電球におけるガラス球形状の滑らかな曲面状に形成されている。すなわち、頂端部６ｇ側に最大径部６ｃを有する略球状に形成された球状部６ａと、基端側の開口端部６ｄ側に球状部の最大径部の直径よりも小径に漸次縮径された縮径部６ｅからなる略円筒状の根元部６ｂを一体に形成する。なお、最大径部６ｃの外径Ｄ１は約５５ｍｍである。
【００３６】
本実施例においては、発光管４に紫外線吸収膜４ｎを形成して合成樹脂製のグローブ６を、発光管４から放射される紫外線から守り、紫外線による樹脂グローブの劣化を防止するが、さらに上記グローブ６を構成する透光性の合成樹脂として紫外線吸収剤を添加した合成樹脂で構成し、発光管の紫外線吸収膜と紫外線吸収可能な樹脂グローブの二重の紫外線吸収作用によって、グローブの劣化を防止する。
【００３７】
本実施例において、紫外線吸収剤として、樹脂にベンゾエート、シンナート、ベンゾトリアゾール、オキサニリド系化合物などが含有されている。その他に樹脂自体が紫外線を吸収することが可能な樹脂、例えば、炭酸エステル類からなる第１の単体Ｍと、紫外線吸収機能を有する第２単体Ｍ´とを含んでいる共重合体で構成していても構わない。
【００３８】
上記により紫外線吸収剤が添加された本実施例の合成樹脂製のグローブ６は、図５（ａ）（ｂ）のグラフに示すように、全光線および直線透過波長が、約３５０ｎｍ〜約４５０ｎｍ付近に吸収波長をもっている。これにより、合成樹脂の劣化に影響のある波長３６５ｎｍ付近のＨｇ輝線を樹脂材で低減し、かつ紫外領域から可視光の短波長領域にわたり紫外成分を良好に吸収することができ、合成樹脂製のグローブ６を、発光管４から放射される紫外線から守り、紫外線によるグローブ６の変色、退色、透過率の低下、脆化等の劣化を防止することができる。同時に、発光管４と同様に、紫外線を吸収することができ、昆虫の飛来を抑制することができる。
【００３９】
図５（ａ）（ｂ）は、本実施例の紫外線吸収剤が添加された厚さ約１．５ｍｍの合成樹脂製のグローブ６の光の波長に対する透過率を測定したもので、曲線ｃが本実施例における合成樹脂製グローブ６の特性曲線、曲線ｄが紫外線吸収剤が添加されていない従来のガラスグローブの特性曲線であり、本実施例の合成樹脂製のグローブ６は、従来のガラスグローブに比し合成樹脂の劣化に影響のある波長３６５ｎｍ付近のＨｇ輝線を樹脂材で低減し、かつ紫外領域から可視光の短波長領域にわたり紫外成分を良好に吸収し、紫外線の吸収作用が良好であることが示されている。図５（ａ）は全光線透過率を示し、図５（ｂ）は直線透過率を示している。
【００４０】
そして、このグローブ６は、図１に示すように、グローブの最大径部６ｃで、発光管のランプ軸ｏ−ｏ、すなわち、グローブの軸心に直交する分割線Ｏａ―Ｏａ（以下「分割線Ｏａ―Ｏａ」と称す）上で上半分、すなわち頂端部６ｇ側であるトップグローブ６Ｘ１と、下半分、すなわち縮径部６ｅ側であるアンダーグローブ６Ｘ２とに横方向（水平方向）に２分割する。上記構成のグローブ６が、例えば非分割の一体成形品で形成されている場合には、発光管４の最大径部４ｉの外径Φ１の方がグローブの開口端部６ｄの開口径よりも大きいので、この開口端部から発光管を挿入することができない。しかし、このグローブ６はその分割線Ｏａ―Ｏａでトップグローブ６Ｘ１と、アンダーグローブ６Ｘ２に上下に分割されているので、発光管４をホルダ３に支持して設立した後に、ホルダと直管部４ｂ、４ｃを、アンダーグローブ６Ｘ２の分割により形成された広い開口端から開口端部６ｄに向けて挿入し、上方からトップグローブ６Ｘ１をアンダーグローブ６Ｘ２に被せ、これら両グローブの開口端同士の突合せ面を超音波溶接により固着して一体化することができる。
【００４１】
上記に接合され固着されたグローブ６は、その根元部６ｂ、すなわち、基端側に開口端部６ｄが形成され、この開口端部の縁部がホルダ３の円筒部３ｂと共に、カバー２の開口取付端部２ｂの内側に嵌合され、例えばシリコーン樹脂やエポキシ樹脂などの耐熱性の接着剤により固定される。なお、この電球形蛍光ランプＬ１は、発光管４を取り付けたホルダ３をカバー２に固定し、発光管部分が上述した手段によりグローブ６で覆われた後に、カバー２内に点灯装置５を取り付け口金１が装着される。
【００４２】
なお、上記に構成された電球形蛍光ランプＬ１の発光管４は、その放電路長を長くするためには、できるだけグローブ６の内面に沿って配置することが必要であるが、あまり近づけると発光管からの熱や漏れた紫外線によって変色等がし易くなる。このため、発光管外面とグローブ内面との間隔寸法を所定の寸法に管理する必要がある。本実施例では、発光管４の頂部である折返し部４ｆの外面と、最も接近するグローブ６内面との間隔寸法を約２ｍｍ〜約３ｍｍ、発光管４の最大径部４ｉの外面と最も接近するグローブ６内面との間隔寸法を約３ｍｍ〜約４ｍｍ、直管部４ｃ、４ｄの外面と、最も接近するグローブ６内面との間隔寸法を約２ｍｍ〜約３ｍｍに設定した。
【００４３】
上記により、点灯装置５をＥ２６形口金内に内蔵し、略キノコ形の螺旋形の発光管４を有し、定格ランプ電力が１０Ｗの白熱電球６０Ｗに相当する電球形蛍光ランプＬ１が構成される。この電球形蛍光ランプＬ１の寸法は、図２に示すように、例えば全長Ｈ１（口金１部を含む）が約１０９ｍｍ、膨出した略球形をなす最大径部Ｄ１が約５５ｍｍである。また、この発明が適用できる電球形蛍光ランプは、全長Ｈ１（口金１部を含む）が１１０ｍｍ以下、膨出した最大径部４ｉの直径寸法Ｄ１が６０ｍｍ以下のものが好ましい。
【００４４】
上記に構成された電球形蛍光ランプＬ１を点灯すると、発光管４から放射される紫外線は、ガラス内壁面４ｌと蛍光体層４ｍとの間に形成された紫外線吸収膜４ｎにより、図４に示される特性曲線のように、合成樹脂の劣化に最も影響する波長３６５ｎｍ以下のＨｇ輝線が低減され、かつ波長約４００ｎｍ以下の光が低減されて紫外領域から可視光の短波長領域にわたり紫外成分が良好に吸収され、この紫外線が吸収された光線が樹脂グローブ６に放射される。これにより、一層小型化され、グローブとバルブ間が近接しても樹脂グローブの劣化が防止される。
【００４５】
さらに、本実施例の電球形蛍光ランプＬ１によれば、グローブ６に紫外線吸収剤を添加し、図５（ａ）（ｂ）に示されるように、波長約３５０ｎｍ〜約４５０ｎｍ付近に吸収波長を有しているので、発光管４の紫外線吸収膜４ｎで吸収しきれなかった可視光の短波長領域の紫外成分をも吸収する。これら二重の紫外線吸収作用によって、図６に示されるように本実施例の電球形蛍光ランプＬ１は、波長約３００ｎｍ〜約４００ｎｍにおける紫外線出力が略０となっており、良好に紫外線が吸収される。これにより、樹脂グローブの劣化が防止され長時間にわたり良好な光束が得られる。図６は、本実施例の電球形蛍光ランプＬ１の紫外線出力（μＷ／ｃｍ2／ｎｍ）を測定したもので、曲線（実線）ｅが本実施例の電球形蛍光ランプＬ１の特性曲線、曲線（点線）ｆが発光管に紫外線吸収膜がなく、グローブに紫外線吸収剤を添加してしない通常品の特性曲線であり、本実施例の電球形蛍光ランプＬ１は、通常品に比し紫外線の出力が低く略０であることが示されている。
【００４６】
また、本実施例の電球形蛍光ランプＬ１は、波長約３００ｎｍ〜約４００ｎｍにおける紫外線出力が略０とすることができ、発光管４およびグローブ６の作用が相まって昆虫の飛来を効果的に抑制することができる。すなわち、図７は、波長に対する各種ランプの分光分布強度と、昆虫の比視感度を相対強度で表したグラフであり、曲線（実線）ｅが本実施例の電球形蛍光ランプＬ１の特性曲線、曲線（点線）ｆが発光管に紫外線吸収膜がなく、グローブに紫外線吸収剤を添加してしない通常品の特性曲線、曲線（実線）ｇが昆虫の比視感度を表した比視感度曲線、曲線（実線）ｈは白熱電球の特性曲線である。これらの特性曲線から明らかなように、本実施例の電球形蛍光ランプＬ１は、波長約３００ｎｍ〜約４００ｎｍにおける紫外線出力が略０となっており、昆虫の比視感度が高いレベルの紫外線を略１００％カットしており、昆虫の飛来を効果的に抑制することができる。
【００４７】
また、下記の表１に、本実施例の電球形蛍光ランプＬ１、通常品および白熱電球における昆虫の誘虫率、グローブの変退色損傷率、ＵＶ放射強度を測定した結果を示した。なお、昆虫の誘虫率、グローブの変退色損傷率は、白熱電球を１００としたときの本実施例の電球形蛍光ランプＬ１および通常品における割合（％）である。本実施例の電球形蛍光ランプＬ１および通常品は白熱電球６０Ｗ相当品である。
【００４８】
【表１】
2009259766.tif 000003
上記の表１から分かるように、本実施例の電球形蛍光ランプＬ１は、従来の発光管に紫外線吸収膜がなく、グローブに紫外線吸収剤を添加してしない通常品に比較して大幅に紫外線放射強度が低下し、グローブの変退色損傷率も略半分以下に減少し、なおかつ、昆虫の誘虫率も低い、低誘虫形の電球形蛍光ランプとして構成することができた。  
【００４９】
そして、この電球形蛍光ランプＬ１は、グローブ６を把持して廻すことにより、白熱電球等が装着されるＥ２６形口金対応のソケットへの着脱が行なわれて点灯される。例えば図８に示すダウンライトなどの照明器具２０の光源として用いられる。図８は照明器具２０を断面して示す説明図で、図において２１は器具本体、２２はこの本体２１内に設けられたＥ２６型などの口金１に対応するソケット、２３は反射体で、上記ソケット２２に、上述した電球形蛍光ランプＬ１が装着される。
【００５０】
電球形蛍光ランプＬ１は、白熱電球など一般照明用電球と近似、または同一形状をなしているので、器具の配光を一般照明用電球の配光に近似または同一となすことができ、ソケット２２近傍の反射体２３への光の照射量が充分に確保され、反射体の光学設計とおりの器具特性を得ることができる。また発光管４の螺旋形部４ａが下方に向いているので、直下照度を向上させることができる。同時に、本実施例の電球形蛍光ランプＬ１は、上述したように、発光管４から放射される紫外線は、発光管４の紫外線吸収膜４ｎと紫外線吸収剤が添加された合成樹脂製のグローブ６により二重に吸収され、器具本体２１、ソケット２２、反射体２３などの変色、退色、透過率の低下、脆化等の劣化を防止することもできる。特に、これら器具部品を合成樹脂で構成した場合には、より一層劣化を防止することができる。同時に、本実施例の電球形蛍光ランプＬ１は、上記のように低誘虫形のランプとして構成されているので、昆虫の飛来を抑制することができ、昆虫による器具の汚れ、特に反射板やグローブ、セード等の汚れを防ぐことができ、器具の掃除の手間も省け、長期にわたり所望の明るい照明を行うことができる。また、セードに紫外線をカットする機能を設けた照明器具の光源に、本実施例の低誘虫形の電球形蛍光ランプを使用すれば、光源とセードによる二重の低誘虫効果により、より一層の昆虫飛来抑制効果を奏することができる。
【００５１】
以上、本実施例によれば、グローブを合成樹脂で構成した場合に問題となる発光管からの紫外線による合成樹脂製グローブの劣化は、発光管４に形成された紫外線吸収膜４ｎと紫外線吸収剤が添加された合成樹脂製のグローブ６により、二重の紫外線吸収作用によって、グローブの変色、退色、透過率の低下、脆化等の劣化が防止され長時間にわたり良好な光束が得られると共に、昆虫の飛来を抑制することができる。さらに、これら作用により照明器具自体や、照明器具により照射される周辺機器、部材等の変色、退色、透過率の低下、脆化等の劣化、昆虫の飛来による汚れなども抑制することができる。
【図面の簡単な説明】
【００５２】
【図１】本発明の第１の実施形態の電球形蛍光ランプを示し、（ａ）は正面視の縦断面図、（ｂ）は発光管の拡大断面図。
【図２】同じく電球形蛍光ランプを示す左側面視の縦断面図。
【図３】同じく電球形蛍光ランプの発光管を示し、（ａ）は正面図、（ｂ）はグローブと発光管の関係を下方から見て示した図。
【図４】同じく発光管の紫外線出力を測定したグラフ。
【図５】同じく樹脂グローブの波長に対する光の透過率を示すグラフで、（ａ）は全光線透過率を示すグラフ、（ｂ）は直線透過率を示すグラフ。
【図６】同じく電球形蛍光ランプの紫外線出力を測定したグラフ。
【図７】同じく波長に対する各種ランプの分光分布強度と、昆虫の比視感度を相対強度で表したグラフ。
【図８】同じく電球形蛍光ランプを用いた照明器具を断面して示す説明図。
【図９】従来の電球形蛍光ランプを、グローブを断面して示す正面図。
【符号の説明】
【００５３】
Ｌ１：電球形蛍光ランプ
１：口金
２：カバー
４：発光管
４ｄ：バルブ
４ｑ、４ｒ：電極
４ｌ：内壁面
４ｍ：蛍光体層
４ｎ：紫外線吸収膜
５：点灯装置
６：グローブ
６ｃ：最大径部
６ｄ：開口端部
６ｅ：縮径部
６ｇ：頂端部
２０：照明器具
２１：器具本体
２２：ソケット
【図１】
2009259766.tif 000004
【図２】
2009259766.tif 000005
【図３】
2009259766.tif 000006
【図４】
2009259766.tif 000007
【図５】
2009259766.tif 000008
【図６】
2009259766.tif 000009
【図７】
2009259766.tif 000010
【図８】
2009259766.tif 000011
【図９】
2009259766.tif 000012